(57)【要約】  本発明は、移動通信端末の位置情報を用いて、検索者の現在の位置と関連した複数の広告項目間の対決構図を検索者に提供することによって、検索者の興味を誘発し、対決順位による所定の恵沢を検索者及び広告主に付与して、検索者の再訪問及び広告主の入札参加を誘導するための広告管理方法及びこのための移動通信端末に関する。本発明の広告管理方法は、移動通信端末の位置情報モジュールが人工衛星から位置情報を受信する段階、移動通信端末の受信部が検索者から所定の検索語入力を受信する段階、移動通信端末の対決空間提供部が上記位置情報に基づいて、所定の検索語と関連した複数の広告項目間の対決が行われるように対決空間を検索者に提供する段階、移動通信端末の対決順位決定部がクリック数を考慮して複数の広告項目に対する対決順位を決定する段階、移動通信端末の恵沢提供部が決定された対決順位に対応して恵沢を提供する段階、及び移動通信端末の広告提供部が恵沢の提供をサポートする広告主の広告を検索者に提供する段階を含むことができる。
2013541751.tif 000002
【特許請求の範囲】
【請求項１】
移動通信端末の位置情報モジュールが人工衛星から位置情報を受信する段階と、
前記移動通信端末の受信部が検索者から所定の検索語入力を受信する段階と、
前記移動通信端末の対決空間提供部が前記位置情報に基づいて、前記所定の検索語と関連した複数の広告項目間の対決が行われるように対決空間を前記検索者に提供する段階と、
前記移動通信端末の対決順位決定部がクリック数を考慮して前記複数の広告項目に対する対決順位を決定する段階と、
前記移動通信端末の恵沢提供部が前記決定された対決順位に対応して恵沢を提供する段階と、
前記移動通信端末の広告提供部が前記恵沢の提供をサポートする広告主の広告を前記検索者に提供する段階と、を含むことを特徴とする広告管理方法。
【請求項２】
前記複数の広告項目は、
前記移動通信端末の制御部が入札価格及び人気度のうち少なくとも１つに基づいて抽出することを特徴とする請求項１に記載の広告管理方法。
【請求項３】
前記恵沢は、
前記恵沢提供部が前記複数の広告項目のうち少なくとも１つをクリックした検索者に提供することを特徴とする請求項１に記載の広告管理方法。
【請求項４】
前記対決順位を決定する段階は、
前記対決順位決定部がクリック率、販売実績、コール数、前記広告項目に対する評価のうち少なくとも１つを考慮して前記複数の広告項目に対する対決順位を決定する段階を含むことを特徴とする請求項１に記載の広告管理方法。
【請求項５】
人工衛星から位置情報を受信する位置情報モジュールと、
検索者から所定の検索語入力を受信する受信部と、
前記位置情報に基づいて、前記所定の検索語と関連した複数の広告項目間の対決が行われるように対決空間を前記検索者に提供する対決空間提供部と、
クリック数を考慮して前記複数の広告項目に対する対決順位を決定する対決順位決定部と、
前記決定された対決順位に対応して恵沢を提供する恵沢提供部と、
前記恵沢提供をサポートする広告主の広告を前記検索者に提供する広告提供部と、
前記複数の広告項目に関する情報及び広告主の広告に関する情報を格納するデータベースと、
前記位置情報モジュール、前記受信部、前記対決空間提供部、前記対決順位決定部、前記恵沢提供部、前記広告提供部、及び前記データベースを全般的に制御する制御部と、を含むことを特徴とする移動通信端末。
【請求項６】
前記制御部は、
入札価格及び人気度のうち少なくとも１つに基づいて前記複数の広告項目を抽出することを特徴とする請求項５に記載の移動通信端末。
【請求項７】
前記恵沢提供部は、
前記恵沢を前記複数の広告項目のうち少なくとも１つをクリックした検索者に提供することを特徴とする請求項５に記載の移動通信端末。
【請求項８】
前記対決順位決定部は、
クリック率、販売実績、コール数、前記広告項目に対する評価のうち少なくとも１つを考慮して前記複数の広告項目に対する対決順位を決定することを特徴とする請求項５に記載の移動通信端末。
【発明の詳細な説明】
【技術分野】
【０００１】
本発明は、移動通信端末の現在位置と関連した広告を使用者に提供することによって、広告効果を極大化するための広告管理方法及びこのための移動通信端末に関するものである。
【背景技術】
【０００２】
最近においてはインターネットなどの通信網の急激な発展に伴って通信網を介した情報検索が非常に一般化している。即ち、インターネットを用いることによってインターネット使用者は時間や場所に関係なく容易に必要な情報を得ることができ、このような情報検索は人の生活全般にわたって多くの変化をもたらしている。
【０００３】
これにより、インターネット使用者に検索サービスを提供するサービスプロバイダと、検索結果を通じて自身のウェブサイトに関する情報をインターネット使用者に提供することによって広告効果を得る広告主の間における広告提供に対する課金方法に関しても多様なモデルが開発されている。
【０００４】
広告提供に対する課金方式の一例として、検索結果の提供画面上において広告主の情報が表示される位置を予め選定し、選定された各位置別に所定の販売金額を想定して広告主に販売する方式がある。このような方式は、現在広告主の情報が表示されていない位置に対して最も早く販売金額を支払った広告主に自身の情報を表示する権限を付与する方式で、特定の位置に自身の情報を表示することを望む広告主の場合は、該当位置において以前に表示されていた広告主の情報に関する契約期間が満了する時点まで待機しなければならない問題がある。
【０００５】
上述した課金方式の問題を解決するために、ＰＰＣ（Ｐａｙ  Ｐｅｒ  Ｃｌｉｃｋ）方式による課金方法が提案されている。ＰＰＣ方式は、検索要請をした使用者が検索結果内に含まれた特定の広告主の情報をクリックすることによって使用者と広告主が連結される接続連結回数（有効連結回数）を計算して広告費用を算定するものであって、各広告主が提示したＰＰＣ金額（１回クリック当りの課金費用）の大きさの順序に従って各広告主の広告を特定領域内に順次配列して使用者に提供する。
【０００６】
このようなＰＰＣによる課金方式は、最も高いＰＰＣ金額を提示した広告主の情報が特定領域内で最上位に配置されるため、広告主は相対的に良い位置に自身の情報が表示されるようにするために競争して高いＰＰＣ金額を提示するようになり、これによって各広告主が負担しなければならない広告費用も持続的に上昇するようになるため、結果的には広告を放棄する広告主が増加する逆効果が発生する可能性がある。
【０００７】
また、上述した方法のように検索結果を表示する画面の特定の領域内での広告の配置順序または位置が先取りまたは最も高いＰＰＣ金額の提示などのように広告主の競争のみによって決定されることは、検索を要請する使用者の立場においても要請した検索と関係のない広告が最上位に配置されることがあり、この様な場合は使用者に検索の精度が低いという認識を与えることになるという問題がある。
【０００８】
従って、広告主だけでなく使用者にも役に立つことができ、使用者の関心を誘発することができる検索結果を通じた効率的な広告システムの導入が必要な状況である。
【発明の概要】
【発明が解決しようとする課題】
【０００９】
本発明の目的は、移動通信端末の位置情報を用いて検索者の現在位置と関連した複数の広告項目間の対決構図を検索者に提供することによって、検索者の興味を誘発し、対決順位による所定の恵沢を検索者及び広告主に付加して、検索者の再訪問及び広告主の入札参加を誘導するための広告管理方法及びこのための移動通信端末を提供することにある。
【課題を解決するための手段】
【００１０】
上記目的を達成するための本発明による広告管理方法は、移動通信端末の位置情報モジュールが人工衛星から位置情報を受信する段階と、前記移動通信端末の受信部が検索者から所定の検索語入力を受信する段階と、前記移動通信端末の対決空間提供部が前記位置情報に基づいて、前記所定の検索語と関連した複数の広告項目間の対決が行われるように対決空間を前記検索者に提供する段階と、前記移動通信端末の対決順位決定部がクリック数を考慮して前記複数の広告項目に対する対決順位を決定する段階と、前記移動通信端末の恵沢提供部が前記決定された対決順位に対応して恵沢を提供する段階と、前記移動通信端末の広告提供部が前記恵沢の提供をサポートする広告主の広告を前記検索者に提供する段階と、を含むことを特徴とする。
【００１１】
上記目的を達成するための本発明による移動通信端末は、人工衛星から位置情報を受信する位置情報モジュールと、検索者から所定の検索語入力を受信する受信部と、前記位置情報に基づいて、前記所定の検索語と関連した複数の広告項目間の対決が行われるように対決空間を前記検索者に提供する対決空間提供部と、クリック数を考慮して前記複数の広告項目に対する対決順位を決定する対決順位決定部と、前記決定された対決順位に対応して恵沢を提供する恵沢提供部と、前記恵沢の提供をサポートする広告主の広告を前記検索者に提供する広告提供部と、前記複数の広告項目に関する情報及び広告主の広告に関する情報を格納するデータベースと、前記位置情報提供部、前記受信部、前記対決空間提供部、前記対決順位決定部、前記恵沢提供部、前記広告提供部、及び前記データベースを全般的に制御する制御部と、を含むことを特徴とする。
【発明の効果】
【００１２】
本発明の一実施例によると、移動通信端末の位置情報に基づいて、近くに位置して検索語と関連した複数の広告項目間の対決構図を検索者に提供することによって、検索者に検索の便宜性を提供することができる。
【００１３】
また、対決結果に基づいて検索者及び広告主に特定の恵沢を付与することによって、上記検索者の再訪問及び広告主の入札参加を誘導することができる。
【００１４】
一方、本発明の一実施例によると、広告主が自身の広告項目を不正クリックする場合は、広告料負担の比率を増大することができ、広告主が他の広告主の広告項目を不正クリックする場合は、他の広告主の広告項目の対決順位が上がることとなるため、上記広告項目に対する不正クリックを防止することができ、信頼性及び精度の高い対決順位を上記検索者に提供することができる。
【図面の簡単な説明】
【００１５】
【図１】本発明の一実施例と関連した広告管理方法を説明するための図面である。
【図２】本発明の一実施例と関連した移動通信端末の構成を説明するためのブロック構成図である。
【図３】本発明の一実施例と関連した広告管理方法を説明するためのフローチャートである。
【図４】本発明の一実施例を示した図面である。
【発明を実施するための形態】
【００１６】
本明細書において用いられる用語について簡略に説明し、本発明について具体的に説明する。
【００１７】
本発明において用いられる用語は、本発明での機能を考慮して可能な限り現在広く用いられる一般的な用語を選択したが、これは当分野に従事する技術者の意図または判例、新たな技術の出現などによって変わることができる。また、特定の場合は出願人が任意に選定した用語もあり、この場合は該当する発明の説明部分で詳細にその意味を記載することにする。従って、本発明において用いられる用語は、単純な用語の名称ではなく、その用語が有する意味と本発明の全般にわたった内容に基づいて定義されなければならない。
【００１８】
明細書全体において広告とは、多数に商品またはサービスの存在、特徴、便宜性を提示、説得して消費者の欲求や必要を刺激することによって、商品やサービスに対する購買行動を促進したり、広告主自身に対する一般の信頼度を高めるために行う非対面的有料コミュニケーションを意味する。上記広告には、商品販売のための製品広告（ｐｒｏｄｕｃｔ  ａｄｖｅｒｔｉｓｉｎｇ）と経営方針などを販売するＰＲ広告であるアイデア広告（ｉｄｅａ  ａｄｖｅｒｔｉｓｉｎｇ）などを含むことができる。
【００１９】
明細書全体において広告主とは、広告活動をする主体者を意味する。上記広告主が伝播媒体を通じて広告をする場合、上記広告主にはプログラム提供者、即ち、スポンサー（ｓｐｏｎｓｏｒ）も含むことができる。また、上記広告主には広告代行社が取引の開示を望む広告主である潜在的顧客（Ｐｒｏｓｐｅｃｔ）も含むことができる。上記広告主は複数の主体であってもよい。
【００２０】
明細書全体において、バトラー（Ｂａｔｔｌｅｒ）とは、対決空間上に自身の広告項目がディスプレイされ、他の広告項目と対決することを望む者を意味する。
【００２１】
以下、添付した図面を参照して本発明の実施例について本発明の属する技術分野における通常の知識を有する者が容易に実施できるように詳細に説明する。しかし、本発明は多様な相異する形態で具現されることができ、ここにおいて説明する実施例に限定されない。そして図面において本発明を明確に説明するために説明と関係のない部分は省略し、明細書全体を通じて類似した部分に対しては類似の図面符号を付している。
【００２２】
図１は、本発明の一実施例と関連した広告管理方法を説明するための図面である。
【００２３】
図１に示したとおり、本発明の一実施例によると、検索者は、移動通信端末１００を通じて特定のウェブサイトに接続することができる。この移動通信端末１００は、上記検索者がインターネットなどの通信網を介して検索をできるようにする装置を意味する。
【００２４】
移動通信端末１００には、ノートパソコン（ｎｏｔｅｂｏｏｋ  ｃｏｍｐｕｔｅｒ）、携帯電話、スマートフォン（ｓｍａｒｔ  ｐｈｏｎｅ）、デジタル放送用端末、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション、ｅ−ｂｏｏｋ端末などを含むことができる。
【００２５】
上記検索者は、無線通信網を介して上記ウェブサイトに接続することができる。この場合、移動通信端末１００は、移動通信社の通信網（例えば３Ｇ網または４Ｇ網）またはＷｉｆｉ（ｗｉｒｅｌｅｓｓ  ｆｉｄｅｌｉｔｙ）を用いることができる。ＷｉＦｉ（ｗｉｒｅｌｅｓｓ  ｆｉｄｅｌｉｔｙ）を用いて上記ウェブサイトに接続する場合、上記検索者は、別途の費用を負担しなくてもよい長所がある。
【００２６】
上記検索者は、上記ウェブサイトを通じて検索を要請する者を含む上記ウェブサイトの利用者、上記ウェブサイトまたはウェブサイトからリンクされたサイトで品物を購買する購買者、広告項目をクリックする者、リンクされたサイトに利用後記を残す者を全て含む概念である。
【００２７】
上記検索者は、特定の広告項目をクリックしてリンクを発生させる場合にはクリック者として表現することができ、リンクされたサイトを介して品物を購買する場合には購買者として表現することもできる。
【００２８】
上記対決空間２００には、複数の広告項目をディスプレイさせることができる。上記複数の広告項目は、検索語が新たに入力される度に、対決空間２００内にランダムに（ローリングされて）ディスプレイさせることができる。これは上記複数の広告項目間での対決構造において公平性を維持するためである。
【００２９】
また、本発明の一実施例によると、上記検索者に対決空間２００が提供される時、上記検索者及びバトラーに恵沢を提供する広告主の広告をディスプレイするための別途の広告空間３００も一緒に提供されるようにすることができる。
【００３０】
本発明の一実施例によると、広告空間３００は、対決空間２００と分離されて存在することもできる。本発明の他の実施例によると、広告空間３００は、対決空間２００と共存させることができる。例えば、対決空間２００内で２分間は複数の広告項目がディスプレイされ、１分間は広告主の広告がディスプレイされるようにすることもできる。
【００３１】
一方、広告空間３００は、広告バナーの形態で提供されるようにすることができる。広告バナーとは、ウェブサイトで見ることができる棒状の広告を意味する。これは、インターネット使用者が急速に増えるにつれてインターネット使用者に露出されるための新しい広告形態の１つである。上記広告バナーは、リンク情報を含むことができる。従って、上記検索者が上記広告バナーをクリックする場合、関連サイトに移動することができる。
【００３２】
本発明の一実施例によると、上記検索者が上記ウェブサイトに接続する場合、移動通信端末１００は、モバイルウェブ（ｍｏｂｉｌｅ  ｗｅｂ）やＷＡＰ（ｗｉｒｅｌｅｓｓ  ａｐｐｌｉｃａｔｉｏｎ  ｐｒｏｔｏｃｏｌ）を通じて上記検索者に検索インターフェースを提供することができる。
【００３３】
モバイルウェブ（ｍｏｂｉｌｅ  ｗｅｂ）とは、移動端末から有線ウェブサイトに接続できるブラウジング技術を意味する。ＷＡＰ（ｗｉｒｅｌｅｓｓ  ａｐｐｌｉｃａｔｉｏｎ  ｐｒｏｔｏｃｏｌ）は、移動通信機器や個人携帯端末（ＰＤＡ）、無線ターミナルなど移動型端末からインターネットに接続できるようにするために考案された通信規約を意味する。
【００３４】
以下、図２を参照して移動通信端末１００の構成について詳細に説明する。
【００３５】
図２は、本発明の一実施例と関連した移動通信端末の構成を説明するためのブロック構成図である。
【００３６】
本発明の一実施例によると、移動通信端末１００の位置情報モジュール２１０、受信部２２０、対決空間提供部２３０、対決順位決定部２４０、恵沢提供部２５０、広告提供部２６０、データベース２７０は、制御部２８０と連係して１つのプログラム上で具現されることができ、制御部２８０とは別途のプログラム上で具現されることもできる。
【００３７】
本発明の一実施例によると、位置情報モジュール２１０は、移動端末の位置を確認したり得るためのモジュールである。一例として、ＧＰＳ（Ｇｌｏｂａｌ  Ｐｏｓｉｔｉｏｎ  Ｓｙｓｔｅｍ）モジュールがある。ＧＰＳモジュールは、複数の人工衛星から位置情報を受信する。ここにおいて、位置情報は緯度及び経度で示される座標情報を含むことができる。例えば、ＧＰＳモジュールは、３つ以上の衛星から正確な時間と距離を測定し、三角法によって３つのそれぞれ異なる距離から現在の位置を正確に計算することができる。３つの衛星から距離と時間情報を得て、１つの衛星で誤差を修正する方法が用いられることができる。特に、ＧＰＳモジュールは、衛星から受信した位置情報から、緯度、経度、高度の位置だけでなく３次元の速度情報と一緒に正確な時間まで得ることができる。
【００３８】
本発明の一実施例によると、受信部２２０は、上記検索者から所定の検索語入力を受信することができる。
【００３９】
本発明の一実施例によると、対決空間提供部２３０は、上記位置情報に基づいて、上記所定の検索語と関連した複数の広告項目間の対決が行われるように対決空間２００を上記検索者に提供することができる。
【００４０】
この場合、本発明の一実施例によると、対決空間提供部２３０は、対決空間２００のサイズ及び位置が自動に調節されるようにすることもできる。本発明の他の実施例によると、上記検索者が対決空間３００のサイズ及び位置を調節することも可能である。
【００４１】
上記複数の広告項目は、特定商品やサービスであることができ、上記特定商品やサービスを提供するる販売先であることもできる。販売先には、インターネットショッピングモール（Ｉｎｔｅｒｎｅｔ  Ｓｈｏｐｐｉｎｇ  Ｍａｌｌ）またはオープンマーケット（Ｏｐｅｎ  Ｍａｒｋｅｔ）も含むことができる。
【００４２】
インターネットショッピングモール（Ｉｎｔｅｒｎｅｔ  Ｓｈｏｐｐｉｎｇ  Ｍａｌｌ）とは、仮想空間に存在する仮想の商店を意味する。インターネットショッピングモールは、運営者の立場では運営費がほとんどかからずに商圏の制約を受けることもなく消費者の趣向に合う商品情報を提供できる長所がある。
【００４３】
オープンマーケット（Ｏｐｅｎ  Ｍａｒｋｅｔ）とは、一般的なショッピングモール販売方式ではなく、個人と小規模の販売企業などがオンライン上で自由に商品を取引する仲介型インターネットショッピングモールを意味する。即ち、オープンマーケットは、販売主体が複数であることができる。オープンマーケットは、インターネットショッピングモールでの中間流通マージンを省略することができるため、より安い価格で販売することが可能である。
【００４４】
一方、本発明の一実施例によると、上記広告項目は、テキストの形態で対決空間２００内にディスプレイされるようにすることができる。また、上記広告項目は、簡単な広告文句などを含むことができる。従って、対決空間２００に露出されるだけで上記広告項目は広告効果を得ることができる。
【００４５】
本発明の他の実施例によると、上記広告項目は、イメージや動画の形態でディスプレイされるようにすることもできる。この場合、上記広告項目をテキストだけで提供する場合より、上記検索者の関心をさらに集めることができるため、広告効果を増大することができる。
【００４６】
本発明の一実施例によると、対決順位決定部２４０は、上記複数の広告項目に対する対決順位を決定することができる。この場合、対決順位決定部２４０は、クリック率、販売実績、コール（ｃａｌｌ）数、上記広告項目に対する評価のうち少なくとも１つを指標として対決順位を決定することができる。
【００４７】
上記クリック率（Ｃｌｉｃｋ  Ｔｈｒｏｕｇｈ  Ｒａｔｅ）とは、上記複数の広告項目に対する露出回数によるクリック回数の比率を意味する。即ち、「クリック率＝クリック回数／露出」で定義することができる。
【００４８】
上記クリックは、移動通信端末１００において広告項目をタッチする行為によって上記広告項目が選択される場合も含む。
【００４９】
上記「露出」とは、特定の広告項目がクリックされることができるように上記検索者にディスプレイされることを意味する。本発明の一実施例によると、上記複数の広告項目が対決空間２００上にディスプレイされる場合、露出されたと判断することができる。露出発生記録は、特定プログラムによって行われることができる。
【００５０】
また、「クリック回数」とは、露出された特定の広告項目がクリックされた回数を意味する。例えば、上記検索者が特定の広告項目をクリックする場合、移動通信端末１００は、特定の広告項目に対する「クリック発生記録」と「クリックを通じて移動したウェブページに関する情報」を保存することができる。この場合、移動通信端末１００は、特定プログラムを通じて上記クリック関連情報を記録することができる。
【００５１】
従って、対決順位決定部２４０は、上記クリック関連情報を通じてクリック有無、クリック回数、リンクサイトへの移動有無などを確認することができる。
【００５２】
一方、上記広告項目には、リンク情報を含むことができるため、上記検索者が特定の広告項目をクリックする場合、その広告項目と関連したウェブサイトに移動することができ、上記検索者は、リンクされたウェブサイトで品物やサービスを購買することもできる。
【００５３】
従って、上述のような販売実績は、上記検索者が対決空間３００内に存在する広告項目のうち１つを選択し、上記選択した広告項目に含まれたリンク情報を通じてリンクを発生させ、リンクされたウェブサイトに接続して商品を購買した場合において、上記検索者が購買した商品またはサービスの購買数を意味することができる。
【００５４】
本発明の一実施例によると、上記広告項目に対する評価は、上記検索者が上記広告項目に対して評価した点数、推薦数、書込み、商品評などを根拠に換算した結果値を意味することができる。
【００５５】
本発明の一実施例によると、上記広告項目には、特定の電話番号情報を含むことができるため、上記検索者が電話番号を選択して通話を発生させる行為によっても対決順位を決定することができる。本発明の一実施例によると、電話番号を選択して通話を発生させる回数は、コール数として定義することができる。
【００５６】
本発明の一実施例によると、上記広告項目には、位置情報が含まれることもできる。従って、上記検索者が特定の広告項目をクリックする場合、上記広告項目に対する位置情報を地図上に表示させることもできる。
【００５７】
本発明の一実施例によると、恵沢提供部２５０は、上記決定された対決順位に対応して上記バトラー及び上記検索者に所定の恵沢を提供することができる。
【００５８】
本明細書全体において恵沢とは、上記複数の広告項目のうち対決に勝利した特定の広告項目に支給されることができる別途のボーナスを意味する。この場合、上記バトラーは、対決結果に応じてインセンティブの提供を受けることができるため、広告の入札に積極的に参加するようになることができる。また、上記検索者も所定の恵沢の提供を受けることができるため、上記ウェブサイトに再訪問するようになる効果が得られる。上記恵沢に関する詳細な内容は後述する。
【００５９】
広告提供部２６０は、上記ウェブサイトに広告バナーの形態で広告空間３００内に上記広告主の広告を露出することができる。上記広告主の広告は、テキスト、イメージ及び動画のうち少なくとも１つで表現されることができる。
【００６０】
また、本発明の一実施例によると、上記検索者が上記広告バナーをクリックする場合、上記広告にはリンク情報が含まれ、上記検索者は関連サイトに移動することができる。上記広告バナーの位置は、上記ウェブサイト上で調節が可能である。
【００６１】
本発明の一実施例によると、上記広告主の広告は、上記検索語と関連した内容であることができる。例えば、上記検索語がスマートフォンである場合、対決空間２００内には現在の移動通信端末１００が位置する地域近傍のＡ携帯電話販売店、Ｂ携帯電話販売店、Ｃ携帯電話販売店、Ｄ携帯電話販売店、Ｅ携帯電話販売店がディスプレイされるようにすることができ、広告空間３００には移動通信サービスを提供する通信会社の広告内容がディスプレイされるようにすることができる。
【００６２】
本発明の他の一実施例によると、上記広告主の広告は、上記複数の広告項目と異なるもので上記検索語と無関係であることもできる。即ち、検索語がどのようなものであっても、上記広告主の広告は上記ウェブサイトに常時露出させることができる。従って移動通信端末１００は、上記広告主には最上の広告効果を提供することができるようになる。
【００６３】
本発明の一実施例によると、上記広告主は、上記対決順位に基づいて上記検索者及び上記バトラーに上記所定の恵沢を広告料の代わりにサポートすることができる。
【００６４】
本発明の一実施例によると、データベース２７０は、対決空間２００にディスプレイされる上記広告項目に関する情報、広告空間３００にディスプレイされる広告主の広告に関する情報、対決順位決定部２４０が決定した対決順位結果などを格納することができる。上記広告項目及び上記広告主の広告に関する情報には、リンク情報、商品情報、サービス情報、販売先及び広告主に関する情報などを含むことができる。一方、データベース２７０は、上記検索者及びバトラーに提供する上記恵沢に関する情報を格納することもできる。
【００６５】
本発明の一実施例によると、移動通信端末１００の制御部２８０は、位置情報モジュール２１０、受信部２２０、対決空間提供部２３０、対決順位決定部２４０、恵沢提供部２５０、広告提供部２６０、及びデータベース２７０を全般的に制御することができる。
【００６６】
また、制御部２８０は、上記複数の広告項目を対決空間２００内でローリングして無作為にディスプレイさせるようにすることができる。これは上記複数の広告項目に対する対決順位結果の公正性を保障するためである。
【００６７】
以下、移動通信端末１００の各構成を通じて広告主に効率的な広告を提供し、対決結果によって所定の恵沢を付与するための方法について詳細に説明する。
【００６８】
図３は、本発明の一実施例と関連した広告管理方法を説明するためのフローチャートである。
【００６９】
本発明の一実施例によると、位置情報モジュール２１０は、人工衛星から位置情報を受信することができる［Ｓ３１０］。本発明の一実施例によると、位置情報モジュール２１０は、上記受信した位置情報をテキストの形態（例えば、ソウル市瑞草区瑞草洞）にディスプレイすることができる。位置情報モジュール２１０は、上記位置情報を地図上にイメージ形態で提供することもできる。上記イメージは、２Ｄだけでなく３Ｄ映像も含むことができる。
【００７０】
本発明の一実施例によると、受信部２２０は、上記検索者から所定の検索語入力を受信することができる［Ｓ３２０］。本発明の一実施例によると、受信部２１０は、音声認識機能を通じて上記検索者から検索語を受信することができる。
【００７１】
本発明の一実施例によると、対決空間提供部２３０は、上記位置情報に基づいて、上記選択した検索語と関連した複数の広告項目間の対決が行われるように対決空間２００を上記検索者に提供することができる［Ｓ３３０］。
【００７２】
例えば、現在の移動通信端末１００の位置が瑞草洞であり、上記検索者が検索語として「銀行」を入力した場合、対決空間提供部２３０は、瑞草洞に位置する複数の銀行間に対決が行われるように対決空間２００を提供できるのである。
【００７３】
この場合、制御部２８０は、上記位置情報に基づいて上記検索語と関連した複数の広告項目を抽出することができる。上記複数の広告項目は、入札価格及び人気度を反映して抽出されるようにすることができる。
【００７４】
上記入札価格は、対決空間２００内に自身の広告項目がディスプレイされることを望むバトラーが入札時に提示した価格を意味する。
【００７５】
上記人気度は、上記検索者のクリック率、販売実績、推薦数、商品評などを反映して評価することができる。上記人気度は、対決空間２００内にディスプレイされる上記複数の広告項目を抽出するための根拠となるものであって、上記複数の広告項目の対決順位決定とは関係のない指標である。
【００７６】
対決空間２００は、制限された空間であるため、制御部２８０は、既に設定された数以下の広告項目を抽出することになる。例えば、制御部２８０は、上記検索語と関連する複数の広告項目のうち入札価格のみを比較し、入札価格の高い順に５つの広告項目を抽出することができる。また、制御部２８０は、上記複数の広告項目の入札価格を３０％反映し、人気度を７０％反映して上位５つの項目を抽出することもできる。制御部２８０は、上記複数の広告項目の人気度のみを１００％反映して上位５つの広告項目を抽出することもできる。
【００７７】
制御部２８０が入札価格のみを反映して上記複数の広告項目を抽出する場合、移動通信端末１００を運営する企業には役立つが、上記検索者は必要な情報が得られない場合が発生することがある。
【００７８】
一方、制御部２８０が人気のみを反映して上記複数の広告項目を抽出する場合、上記移動通信端末１００は上記検索者にカスタマイズ型広告を提供することができる。しかし、自身の広告項目がディスプレイされることができるように高い入札価格を提示した上記バトラーには不利益な行為になるようにすることもできる。
【００７９】
従って、制御部２８０は、状況に応じて上記選択した検索語との関連程度、上記広告項目の入札価格及び人気度を適宜反映して対決空間３００にディスプレイされる広告項目を抽出することができるようにするものである。
【００８０】
本発明の一実施例によると、制御部２８０は、上記抽出された複数の広告項目を対決空間３００内にディスプレイすることができる。上記複数の広告項目は、対決空間２００内で垂直的、水平的、円形など多様にディスプレイさせることができる。また、公平性の観点から上記複数の広告項目は、新しい検索語が入力される度にランダムに（ローリングして）ディスプレイされるようにすることができる。
【００８１】
従って、本発明の一実施例によると、上記複数の広告項目に対する入札価格は同等に課金されることもできる。例えば、対決空間２００内に自身の広告項目がディスプレイされることを望む上記バトラーが入札額を異にして入札した場合、入札価格は、上記抽出された複数の広告項目の最大入札額または最小入札額または平均入札額など公平に入札額を調節して統一されるようにすることができる。
【００８２】
本発明の一実施例によると、上記複数の広告項目は、商品、サービス、販売先などを含むことができる。例えば、受信部２２０が受信した検索語がノートパソコンであると仮定する。まず、上記複数の項目が商品である場合、ノートパソコンの種類に応じてＡノートパソコン、Ｂノートパソコン、Ｃノートパソコン、Ｄノートパソコン、Ｅノートパソコンなどが対決のために抽出されるようにすることができる。また、上記複数の項目がサービスである場合、Ａ修理店、Ｂ修理店、Ｃ修理店、Ｄ修理店、Ｅ修理店などが対決のために抽出されるようにすることができる。そして上記複数の項目が販売先である場合、Ａ会社、Ｂ会社、Ｃ会社、Ｄ会社、Ｅ会社などが対決のために抽出されるようにすることができる。上記販売先は、オープンマーケットを含むこともできる。
【００８３】
対決順位決定部２４０は、上記複数の広告項目に対する対決順位を決定することができる［Ｓ３４０］。上記対決順位は、販売実績、クリック率、コール（ｃａｌｌ）数、上記広告項目に対する評価のうち少なくとも１つを指標として決定することができる。
【００８４】
例えば、対決空間２００に商品Ａ、Ｂ、Ｃ、Ｄ、Ｅがあり、上記検索者が商品Ｄをクリックしてリンクを発生させる場合、Ｄ商品の対決順位が上がるようにすることができる。また、上記検索者が商品Ｄをクリックしてリンクを発生させると同時にリンクされたサイトで商品Ｄを購買した場合、Ｄ商品に対する対決順位を上げるように調整することができる。
【００８５】
対決順位決定部２４０は、リアルタイムまたは特定期間別に上記複数の広告項目に対する対決順位を決定することができる。例えば、上記対決進行時間が現在から２４時間に定められた場合、対決順位決定部２４０は、上記検索者が購買をした時点で上記複数の広告項目間の対決順位を決定することができる。他の実施例によると、対決順位決定部２４０は、週間別あるいは月間別に対決順位を決定することもできる。
【００８６】
一方、対決順位決定部２４０は、クリック率、コール数、販売実績、広告項目に対する評価を考慮して最高得点の広告項目１つのみを抽出して勝利項目として決定し、他の広告項目に対しては順位を決定しないこともできる。また、対決順位決定部２４０は、上記全ての複数の広告項目に対する得点を計算して全ての項目の全体的な相対順位を決定することもできる。
【００８７】
本発明の一実施例によると、恵沢提供部２５０は、上記決定された対決順位に対応して恵沢を提供することができる［Ｓ３５０］。上記恵沢は、商品及びサービスの割引、積立金の支給、割引クーポンの提供、マイレージの積立、謝恩品の提供、商品券の提供及びゲームマネーの提供などを含むことができる。
【００８８】
上記恵沢は、上記項目に含まれたリンク情報を通じてリンクを発生させ、上記リンクされたウェブサイトに接続して品物またはサービスを購買する検索者に提供されるようにすることができる。
【００８９】
本発明の一実施例によると、上記恵沢は、上記対決で勝利した上記バトラーに対して提供されることもできる。上記バトラーに上記特定の恵沢が付与される場合、上記恵沢は、入札価格の割引、商品販売手数料の引下げ、広告露出期間の延長、広告優先権などを含むことができる。また、恵沢提供部２５０は、勝利したバトラーの他の広告項目が露出される機会を提供することができる。
【００９０】
一方、恵沢提供部２５０は、購買せずに上記項目に含まれたリンク情報を通じてリンクを発生させた検索者（クリック者）に対しても所定の恵沢を提供することができる。例えば、上記検索者が上記複数の項目のうちＡ項目を選択（クリック）してリンクを発生させた場合、上記使用者がＡ項目を購買しなくても恵沢提供部２５０は、上記検索者にもポイントまたはマイレージの積立、割引クーポンの提供などの恵沢を付与することができる。リンクされたサイトに接続だけしても上記広告主の広告目的は達成されたと判断することができるためである。
【００９１】
恵沢提供部２５０は、対決順位決定部２４０が特定期間（例えば、週間別または月間別）別に対決順位を決定する場合、上記特定期間が満了する時点で上記恵沢を上記対決で勝利した項目と関連した購買者または上記バトラーに提供することができる。
【００９２】
また、対決順位決定部２４０が上記購買が発生した時点ごとに対決順位を決定するようになる場合、恵沢提供部２５０は、上記購買時点にリアルタイムで上記恵沢を上記検索者（購買者）に提供することもできる。
【００９３】
例えば、上記対決が２４時間の間だけ進行され、現在７時間が残っていると仮定する。７時間が残っている現在、対決順位決定部２４０が決定した結果によると１位の項目はＡに関する項目だと仮定する。上記検索者は、Ａ項目とリンクされたウェブサイトに接続してＡ項目を購買することができ、購買時点当時にＡ項目が１位の商品であるためこれによる恵沢（例えば、商品価格の割引）の提供をリアルタイムで受けることができるようになる。
【００９４】
しかし、対決順位決定部２４０が２４時間が経過する時点で対決順位を決定するようになると、上記購買者は、購買当時には上記特定恵沢の提供を受けることができるのかについて正確に分からないため、上記対決進行時間が終了した後にポイントの積立などの恵沢の提供を受けることができるようになる。
【００９５】
本発明の一実施例によると、恵沢提供部２５０は、上記対決結果に応じて勝利した１つの項目に関連した購買者及びバトラーに対してのみ上記恵沢を提供することができる。
【００９６】
本発明の他の実施例によると、恵沢提供部２５０は、上記複数の項目間の順位によって各項目に関連した購買者またはバトラーなどに差別的に上記恵沢を提供することもできる。
【００９７】
一方、恵沢提供部２５０は、上記対決で勝利した項目と関連した上記検索者またはバトラーに多様な恵沢を提示して、上記検索者またはバトラーが特定の恵沢を選択できるようにすることもできる。
【００９８】
本発明の一実施例によると、上記広告主の広告をクリックしたクリック者及び広告空間３００に含まれたリンク情報によってリンクされたサイトで品物を購買した購買者は、対決空間２００内の広告項目と関連したクリック者、購買者より大きな恵沢の提供を受けることができる。上記広告主が広告のために上記恵沢を上記検索者に提供するものであるため、上記広告主の広告に対するクリック者及び購買者によりもっと大きな恵沢を付与して広告の効果を高めることができるものである。
【００９９】
本発明の一実施例によると、広告提供部２６０は、上記恵沢の提供をサポートする広告主の広告を上記検索者に提供することができる［Ｓ３６０］。上記広告は、移動通信端末１００が運営するウェブサイトに広告バナーの形態で露出されることによって、上記検索者に提供されることができる。上記広告バナーは、関連サイトへのリンク情報を含むことができる。上記検索者は、上記広告バナーをクリックすることによって、上記広告と関連したウェブサイトに移動することができる。
【０１００】
一方、図３は、本発明の一実施例を示したものであって、本発明の広告管理方法は、上記順序に拘束されない。特に広告提供部２６０が上記恵沢の提供をサポートする広告主の広告を上記検索者に提供する段階［Ｓ３６０」は、他の段階［Ｓ３１０〜Ｓ３５０］と関係なく独立的に存在することができる。
【０１０１】
本発明の一実施例によると、恵沢提供部２４０は、対決が始まって所定時間が過ぎた後には上記恵沢を上記広告主に提供することができる。即ち、対決が始まってあまり時間が過ぎてない場合には、対決結果値の誤差が大きく信頼度が低い場合もあるためである。従って、対決が始まって所定の時間が経過した後には、対決結果に応じて上記恵沢を広告主に提供することができる。
【０１０２】
図４は、本発明の一実施例を示した図面である。
【０１０３】
図４に示したとおり、位置情報モジュール２１０は、現在の移動通信端末１００の位置情報を人工衛星から受信することができる。例えば、現在の移動通信端末１００の位置がソウル市瑞草区瑞草洞であると仮定する。
【０１０４】
また、受信部２１０は、上記検索者から検索語入力を受信することができる。もし、上記検索者がカフェという検索語を入力した場合、制御部２８０は、ソウル市瑞草区瑞草洞にあるカフェと関連した複数の広告項目を入札価格及び人気度の順に基づいて抽出するようになる。例えば、Ａカフェ瑞草店、Ｂカフェ瑞草店、Ｃカフェ瑞草店が抽出されて対決空間２００内にディスプレイされるようにすることができる。
【０１０５】
移動通信端末１００は、上記ウェブサイトを通じて対決進行時間を上記検索者に提供することができる。特定の時間帯に上記対決が行われる場合、移動通信端末１００は、上記ウェブサイト上に特定の時間帯を表示することもできる（例えば、１４：００−２２：００等）。
【０１０６】
また、移動通信端末１００は、対決空間２００上の複数の広告項目に対する対決順位結果をリアルタイムで上記検索者に提供することもできる。上記検索者が広告を用いるにおいて、参考資料として活用できるようにするためである。
【０１０７】
ただし、最初から上記広告項目の順位を表示するのではなく所定の期間が経過した後に順位結果を上記検索者に提供することもできる。これは、上記検索者に信頼度の高い検索結果を提供するためである。
【０１０８】
この場合、移動通信端末１００は、特定の条件を満たす検索者のみに上記対決順位結果を提供することもできる。対決順位に関する情報は、上記検索者が検索結果を用いるにおいて良質の情報であることができるためである。例えば、移動通信端末１００は、上記検索者のうち有料で会員登録をした検索者のみに上記対決順位結果を提供することができる。この場合、移動通信端末１００は、上記検索者の有料会員登録を誘導することができ、会員登録情報を通じて上記検索者に対する個人情報を得ることもできるようになる。
【０１０９】
また、本発明の一実施例によると、移動通信端末１００は、各広告項目別に戦績（例えば、１１勝８敗）を上記検索者に提供することもできる。移動通信端末１００は、特定広告項目のクリック率及び販売実績が５０％を超える場合、ＫＯ勝ちと認めることもできる。
【０１１０】
一方、対決空間２００内に存在するＡノートパソコン〜Ｅノートパソコンは、テキスト、アイコン、動画などの形態でディスプレイされることができる。また、移動通信端末１００は、Ａカフェ〜Ｃカフェに対するサービス内容などの簡略なプロモーション情報（例えば、Ｗｉｔｈ  ホワイトクリスマス、雰囲気のよいカフェ、Ｓｕｍｍｅｒ  Ｆｅｓｔｉｖａｌの進行中等）を上記検索者に提供することもできる。
【０１１１】
本発明の一実施例によると、上記検索者がＣカフェを選択してクリックをした場合、リンクが発生し、上記Ｃカフェのウェブサイト５００に連結されるようにすることができる。上記リンクを通じて上記ウェブサイトに接続して上記検索者がＣカフェで商品券を購買する場合、上記Ｃカフェに対する対決順位が上がるようにすることができる。
【０１１２】
対決順位決定部２４０がクリック率、販売実績、コール数、及び広告項目に対する評価のうち少なくとも１つを指標として決定した対決順位によって、Ｃカフェが１位、Ａカフェが２位、Ｂカフェが３位であると仮定する。
【０１１３】
本発明の一実施例によると、恵沢提供部２５０は、１位とされたＣカフェと関連した検索者のみに恵沢を提供することができる。他の実施例によると、恵沢提供部２５０は、１位とされたＣカフェと関連した検索者だけでなく他のカフェと関連した検索者にも差別的に恵沢を付与することもできる。
【０１１４】
例えば、恵沢提供部２５０は、１位とされたＣカフェをクリックしてリンクを発生させた検索者にはＣカフェの１０％割引クーポンを提供することができ、２位とされたＡカフェをクリックした検索者にはアイスアメリカーノの購入時に一杯無料クーポンを提供することができ、３位とされたＢカフェをクリックした検索者には景品応募券を提供することができる。
【０１１５】
また、本発明の一実施例によると、恵沢提供部２５０は、上記リンクされたウェブサイトに評価を残した検索者にも恵沢を提供することができる。また、接続回数に応じて検索者別にポイント及びマイレージを提供することもでき、検索者間に等級をつけ差別化することもできる。従って、本発明の一実施例によると、上記検索者の再訪問効果が得られる。
【０１１６】
一方、移動通信端末１００は、上記位置情報に基づいて上記Ｃカフェをクリックした検索者に略図のような位置情報を提供することができる。従って、上記検索者は近くにある店を容易に探すことができるため、本発明の一実施例によると、上記検索者に検索の便宜性を提供することができる。
【０１１７】
本発明の一実施例によると、上記検索者が上記位置情報を通じてＣカフェを訪問した後、Ｃカフェに対する評価を残した場合、恵沢提供部２５０は、クリックだけの検索者よりさらに多くの恵沢を訪問した検索者に提供することができる。
【０１１８】
一方、恵沢提供部２５０は、上記対決の結果、１位とされたＣカフェのバトラーに入札価格格引き下げや、広告露出時間を増大などの特定の恵沢を付与することができる。
【０１１９】
本発明の一実施例によると、恵沢提供部２５０は、１位とされたバトラーのみに恵沢を提供することもでき、それ以外のバトラーにも上記対決順位に応じて差別的に恵沢を配分することもできる。
【０１２０】
一方、上記検索者及びバトラーが提供を受ける恵沢は、上記広告主がサポートすることになる。従って、上記広告主の広告は、上記平均検索率の高い検索語と無関係であることも可能であり、広告の効果のために上記広告主の広告は上記検索語と関連されるようにすることができる。
【０１２１】
例えば、対決空間２００上にカフェと関連した広告項目がディスプレイされた場合、５０年伝統コーヒー会社△△はカフェではないが、コーヒーと関連している会社として上記恵沢をサポートし、広告空間３００に広告を露出することができるようになる。一方、カフェと関連のないスパゲティ専門店が上記恵沢をサポートする広告主になる場合、広告空間３００にはカフェとは関連のないスパゲティ関連広告が露出されるようにすることもできる。
【０１２２】
広告空間３００は、対決空間２００と別途に存在することもできるが、広告空間３００と対決空間２００が交互に同じ位置にディスプレイされるようにすることもできる。例えば、Ａ〜Ｃカフェが１分間ディスプレイされ、５０年伝統のコーヒー会社△△が４０秒間ディスプレイされるようにすることができる。
【０１２３】
上記検索者は、上記広告主の広告に含まれたリンク情報によって上記広告主の広告と関連したウェブサイトにも接続することができる。この場合、恵沢提供部２５０は、上記広告主の広告バナー４００をクリックした検索者または広告バナー４００のリンクを発生させてリンクされたサイトで品物を購買した検索者とすることができる。
【０１２４】
以上説明した本発明の実施例は、システム及び方法を通じてのみ具現されるものではなく、本発明の実施例の構成に対応する機能を実現するアプリケーションプログラムまたはそのプログラムが記録された記録媒体を通じて具現されることもでき、このような具現は、上述した実施例の記載から本発明の属する技術分野の専門家であれば容易に具現することが可能である。
【０１２５】
また、以上、本発明の実施例について詳細に説明したが、本発明の権利範囲はこれに限定されるものではなく、次の請求の範囲で定義している本発明の基本概念を用いた当業者の多様な変更及び改良形態もまた本発明の権利範囲に属するものである。
【符号の説明】
【０１２６】
１００：移動通信端末
２００：対決空間
３００：広告空間
２１０：位置情報モジュール
２２０：受信部
２３０：対決空間提供部
２４０：対決順位決定部
２５０：恵沢提供部
２６０：広告提供部
２７０：データベース
２８０：制御部
【図１】
2013541751.tif 000003
【図２】
2013541751.tif 000004
【図３】
2013541751.tif 000005
【図４】
2013541751.tif 000006
【国際調査報告】
2013541751.tif 000007
2013541751.tif 000008
2013541751.tif 000009
2013541751.tif 000010